(57)【要約】【課題】磁気共鳴装置において、局所コイルと評価装置との結合をより均質にすること。【解決手段】患者寝台（５）が移動領域の所定の第１の区画を移動されるときにその間に限って、第１の局所コイル（８）によって受信された磁気共鳴信号が第１の患者寝台結合エレメント（９）と本体結合エレメント（１１）とを介して評価装置（７）へ供給され、第１の患者寝台結合エレメント（９）と本体結合エレメント（１１）とが総体的に相互に結合される第１の結合度（Ｋ１）が移動領域の第１の区画内では一定である構成。【選択図】図８
2008149140.tif 000002
【特許請求の範囲】
【請求項１】
本体（１）および患者寝台（５）を有する磁気共鳴装置において、
・該本体（１）は、励磁領域（２）内に磁界を生成するための磁気システムを有し、該磁界に起因して、該励磁領域（２）に挿入された被検体（６）は励磁されて磁気共鳴信号が送信され、
・該患者寝台（５）は該本体（１）に対して相対的に、移動方向（ｚ）に移動領域を移動され、該被検体（６）が該患者寝台（５）上に配置されている場合、該被検体（６）は該患者寝台（５）の適切な移動によって該励磁領域（２）内に挿入されるように構成されており、
・該本体（１）には該本体（１）に対して位置固定的に複数の本体結合エレメント（１１）が配置されており、該本体結合エレメント（１１）は、磁気共鳴信号を評価するための評価装置（７）に接続されており、
・該患者寝台（５）には該患者寝台（５）に対して位置固定的に複数の第１の患者寝台結合エレメント（９）が配置されており、該患者寝台結合エレメント（９）は、該磁気共鳴信号を受信するための第１の局所コイル（８）に接続されており、
・該本体結合エレメント（１１）および第１の患者寝台結合エレメント（９）は次のように配置および構成されていること、すなわち、該患者寝台（５）が該移動領域の所定の第１の区画を移動されるときにその間に限って、該第１の局所コイル（８）によって受信された磁気共鳴信号が該第１の患者寝台結合エレメント（９）と該本体結合エレメント（１１）とを介して該評価装置（７）へ供給され、該第１の患者寝台結合エレメント（９）と本体結合エレメント（１１）とが総体的に相互に結合される第１の結合度（Ｋ１）が該移動領域の第１の区画内では一定であるように配置および構成されていることを特徴とする、磁気共鳴装置。
【請求項２】
前記患者寝台（５）に、該患者寝台（５）に対して位置固定的に複数の第２の患者結合エレメント（９）が配置されており、
該第２の患者結合エレメント（９）は、磁気共鳴信号を受信するための第２の局所コイル（８）が接続されており、
該第２の患者寝台結合エレメント（９）は次のように配置および構成されていること、すなわち、該患者寝台（５）が前記移動領域の所定の第２の区画を移動されたときにその間に限って、該第２の局所コイル（８）によって受信された磁気共鳴信号が該第２の患者寝台結合エレメント（９）と前記本体結合エレメント（１１）とを介して前記評価装置（７）へ供給され、該第２の患者寝台結合エレメント（９）と該本体結合エレメント（１１）とが総体的に相互に結合される第２の結合度（Ｋ２）は該移動領域の第２の区画では一定であるように配置および構成されている、請求項１記載の磁気共鳴装置。
【請求項３】
前記所定の第１の区画と前記所定の第２の区画とは、オーバーラップ領域において相互にオーバーラップする、請求項２記載の磁気共鳴装置。
【請求項４】
前記第１の区画と前記第２の区画とは等しい大きさであり、
前記オーバーラップ領域は、該第１の区画の半分より大きい、請求項３記載の磁気共鳴装置。
【請求項５】
前記本体結合エレメント（１１）および前記患者寝台結合エレメント（９）は次のように配置および構成されている、すなわち、前記患者寝台（５）が前記移動領域を特定の時点でどの程度の移動距離だけ移動されたかに依存せずに、各本体結合エレメント（１１）は該特定の時点でそのつど、該患者寝台結合エレメント（９）のうち最大１つと結合されるように配置および構成されている、請求項２から４までのいずれか１項記載の磁気共鳴装置。
【請求項６】
前記評価装置（７）は、前記患者寝台（５）の移動距離に依存して前記本体結合エレメント（１１）を動的に伝送チャネルにグループ化し、該伝送チャネルを該局所コイル（８）のうちそれぞれ１つに専有的に割り当てる、請求項５記載の磁気共鳴装置。
【請求項７】
前記患者寝台結合エレメント（９）および前記本体結合エレメント（１１）は誘導結合エレメント（９，１１）として構成されている、請求項１から６までのいずれか１項記載の磁気共鳴装置。
【請求項８】
前記患者寝台結合エレメント（９）および前記本体結合エレメント（１１）は容量結合エレメント（９，１１）として構成されている、請求項１から６までのいずれか１項記載の磁気共鳴装置。
【発明の詳細な説明】
【技術分野】
【０００１】
本発明は、本体と患者寝台とを有する磁気共鳴装置に関する。ここでは、
・本体は、励磁領域で磁界を生成するための磁気システムを有し、該磁界によって、該励磁領域に挿入された被検体は励磁されて磁気共鳴信号が送信される。
【０００２】
・患者寝台は本体に対して相対的に、移動方向で移動領域を移動され、被検体が該患者寝台上に配置されている場合には、該被検体は、該患者寝台の適切な移動によって励磁領域に挿入される。
【背景技術】
【０００３】
このような磁気共鳴装置は周知である。
【０００４】
被検体から送信された磁気共鳴信号は、従来技術では、いわゆる本体アンテナによって検出されるか、または局所コイルによって検出される。磁気共鳴信号が本体アンテナによって受信される場合、磁気共鳴信号は励磁領域全体から受信される。しかし、このような受信ではどうしても、位置分解能が比較的小さくなり、信号雑音比（ＳＮＲ）は比較的小さくなってしまう。したがって磁気共鳴装置では、局所コイルも使用されることが多く、使用される局所コイルの数はしばしば多数になることさえある。局所コイルは被検体（通常は人間）の近傍に配置されるので、励磁領域の小さい部分からのみであっても、良好なＳＮＲで受信を行うことができる。このようなものとして局所コイルを配置することによる位置分解能により、さらには、グラジエント磁界による位置符号化を補足することもできる。それゆえ、検出に必要な測定時間も低減される。
【０００５】
局所コイルの利点を頭から足まで人体全身を撮像するのに利用できるようにするためには、多数の局所コイルが必要であり、これらの局所コイルは患者の上に、患者寝台の移動方向に沿って位置する複数の平面に置かれる。これらの平面はしばしば段（Etage）と称される。
【０００６】
励磁領域は移動方向で見て、典型的には約４０〜６０ｃｍの長さを有する。それゆえ、人体のうちで撮像できるのは常に一部のみである。すなわち、励磁領域に存在する部分のみである。その理由から、患者が載置された患者寝台を連続的に、励磁領域を通過して移動させなければならない。そのつど、励磁領域内に存在する局所コイルを作動し、磁気共鳴信号の評価のために評価装置に接続しなければならず、その他の局所コイルは非作動化しなければならない。このことによって、多数の局所コイルが設けられているにもかかわらず、比較的少数の受信チャネルで十分となる。
【０００７】
従来技術の磁気共鳴装置では、上記の問題は次の構成によって解決されていた。すなわち、すべての局所コイルを、患者寝台に取り付けられた相応の数のコネクタと可動のケーブルツリーとによって、本体に配置されている評価装置に繋げることによって解決されていた。使用される長くて細いケーブルの減衰に起因して、局所コイルにはプリアンプを配置しなければならない。各局所コイルはさらに、不使用時および送信時に該局所コイルを非作動化できるようにするため、離調回路を有さねばならない。また、送信時に誘導される電圧を制限できるようにするためには、長いケーブルツリーに面倒なコモンモードチョーク（いわゆるシース波阻止）を挿入する必要もある。
【０００８】
患者の背領域では、受信アレイを可動の患者寝台の下方に、励磁領域に固定的に配置することができる。この場合、この局所コイルの数は、励磁領域に対応する数で十分である。それゆえ患者の背領域に関しては、多数の局所コイルと該局所コイルのケーブル接続とケーブルの種類とを削減することができる。被検体との距離を拡大するのは、患者寝台自体の比較的小さい厚さのみであり、これは大抵、完全に許容範囲内である。
【０００９】
それに対して被検体の上側では、こういうわけにはいかないか、またはほとんどこういうわけにはいかない。というのも、患者および患者の種々の身体領域の厚さは非常に異なるからである。とりわけ細い患者の場合、またはたとえば頭部または脚部の場合には、励磁領域内に固定的に取り付けられた受信コイルアレイと身体表面との距離が大きくなる場合があり、局所コイルの本来の利点、すなわち高い位置分解能および良好なＳＮＲが利用されない場合がある。
【００１０】
ＤＥ１０１３０６１５Ｃ２からすでに、局所コイルのための次のようなコネクタ接続、すなわち、非接触つまり誘導結合によって動作するコネクタ接続が公知である。この思想はすでに進歩的である。というのも、局所コイルと評価装置とを結合するために、局所コイルと評価装置との間にガルバニック接触が必要なくなったからである。しかし従来のように、接続部の能動的な差込を操作者が行わなければならない。また、局所コイルを所期のように評価装置に接続し、ないしは該評価装置から分離しなければならない。
【００１１】
ＤＥ３５００４５６Ｃ２から、局所コイルと全身アンテナとを結合することが公知である。しかも、ここでは非接触結合が実現される。しかしこの結合は、局所コイルが１つだけの場合にのみ可能であり、また、局所コイルの方向が適切である場合にのみ可能である。すなわちＤＥ３５００４５６Ｃ２の思想は、複数の局所コイルに拡張することはできない。さらにここでも、局所コイルを全身アンテナに能動的に接続し、ないしは該全身アンテナから分離しなければならない。
【００１２】
ＥＰ０４３７０４９Ａ２から、局所コイルと該局所コイルの直近に配置された別のコイルとを直接、誘導結合することが公知である。この思想でも、局所コイルを評価装置に能動的に接続し、ないしは該評価装置から遮断しなければならない。
【００１３】
本願出願前のドイツ連邦共和国特許出願１０２００５０５６７１１．８でも、冒頭に述べた形式の磁気共鳴装置が記載されている。この磁気共鳴装置では患者寝台に、該患者寝台に対して位置固定的に第１の患者寝台結合エレメントが配置されており、この第１の患者寝台結合エレメントは磁気共鳴信号の受信のために第１の局所コイルに接続されている。本体には、該本体に対して位置固定的に複数の本体結合エレメントが配置されており、該本体結合エレメントは磁気共鳴信号の評価のために評価装置と接続されている。本体結合エレメントと第１の患者寝台結合エレメントは、患者寝台が移動領域の所定の第１の区画を移動されたときにその間に限って、第１の局所コイルによって受信された磁気共鳴信号が該第１の患者寝台結合エレメントと該本体結合エレメントとを介して評価装置に供給されるように配置および構成されている。
【００１４】
ドイツ連邦共和国特許出願１０２００５０５６７１１．８は本発明の出願時には公開されていないので、公然周知となった従来技術ではなく、ドイツの特許出願過程では限定された範囲でのみ考慮すべきである。
【００１５】
ドイツ連邦共和国特許出願１０２００５０５６７１１．８に記載された磁気共鳴装置の動作は、すでに実に良好である。とりわけこの構成だけでもすでに、局所コイルが励磁領域内にある場合には該局所コイルは評価回路に自動的に結合され、そうでない場合には該評価回路から強制的に結合解除されることを実現することができる。
【００１６】
ドイツ連邦共和国特許出願１０２００５０５６７１１．８の構成では、第１の患者寝台結合エレメントと本体結合エレメントとが総体的に相互に結合される第１の結合度は、移動領域の第１の区画内では、該患者寝台が移動した移動距離とともに変化する。
【特許文献１】ＤＥ１０１３０６１５Ｃ２
【特許文献２】ＤＥ３５００４５６Ｃ２
【特許文献３】ＥＰ０４３７０４９Ａ２
【特許文献４】ＤＥ１０２００５０５６７１１．８
【発明の開示】
【発明が解決しようとする課題】
【００１７】
本発明の課題は、ドイツ連邦共和国特許出願１０２００５０５６７１１．８に記載されたような形式の磁気共鳴装置を発展し、第１の局所コイルと評価装置との結合をより均質にすることである。
【課題を解決するための手段】
【００１８】
前記課題は、請求項１の特徴を有する磁気共鳴装置によって解決される。
【発明を実施するための最良の形態】
【００１９】
本発明では、患者寝台において、該患者寝台に対して位置固定的に複数の第１の患者寝台結合エレメントが配置されており、該第１の患者寝台結合エレメントは磁気共鳴信号の受信のために第１の局所コイルに接続されている。本体結合エレメントと第１の患者寝台結合エレメントは、患者寝台が移動領域の所定の第１の区画を移動されたときにその間に限って、該第１の局所コイルによって受信された磁気共鳴信号が第１の患者寝台結合エレメントと本体結合エレメントとを介して評価装置に供給されるように配置および構成されている。第１の患者寝台結合エレメントと本体結合エレメントとが総体的に相互に結合される第１の結合度は、移動領域の第１の区画内では一定である。
【００２０】
有利には、設けられる局所コイルは１つだけでなく、複数の局所コイルが設けられる。すなわち、第１の局所コイルの他に付加的に、少なくとも１つの第２の局所コイルが設けられる。この場合には患者寝台に、該患者寝台に対して位置固定的に複数の第２の患者寝台結合エレメントが配置され、該第２の患者寝台結合エレメントは第２の局所コイルに接続される。第２の患者寝台結合エレメントは、患者寝台が移動領域の所定の第２の区画を移動されたときにその間に限って、第２の局所コイルによって受信された磁気共鳴信号が第２の患者寝台結合エレメントと本体結合エレメントとを介して評価装置へ供給されるように配置および構成されている。第２の患者寝台結合エレメントと本体結合エレメントとが総体的に相互に結合される第２の結合度は、移動領域の第２の区画内では一定である。
【００２１】
第１の区画と第２の区画とは互いに素とすることができる。すなわち、相互に離隔するか、または相互に隣接することができる。しかし有利には、所定の第１の区画と所定の第２の区画とはオーバーラップ領域において相互にオーバーラップする。このことは、第１の区画と第２の区画とが等しい大きさであり、オーバーラップ領域は第１の区画の半分より大きい場合が多い。
【００２２】
本体結合エレメントおよび患者寝台結合エレメントは有利には、移動領域を患者寝台が所定の時点で移動した移動距離に依存せずに各本体結合エレメントがこの時点でそのつど患者寝台結合エレメントのうち最大１つと結合されるように配置および構成される。このような構成により、個々の局所コイル間のクロストークが低減されるか消去される。とりわけこの場合には、評価装置は本体結合エレメントを患者寝台の移動距離に依存して動的に伝送チャネルにグループ化し、該伝送チャネルを局所コイルのうちその都度１つに専有的に割り当てる構成が可能である。
【００２３】
結合エレメントすなわち本体結合エレメントと第１の患者寝台結合エレメントと、場合によっては第２の患者寝台結合エレメント等は、択一的に誘導結合エレメントまたは容量結合エレメントとして構成することができる。いずれの場合にも、複数の有利な構成が可能である。上記で何回か言及されたドイツ連邦共和国特許出願１０２００５０５６７１１．８に、結合エレメントの実施可能である有利な構成が記載されている。
【実施例】
【００２４】
図面と関連して記載された以下の実施例の説明に、別の利点および詳細が記載されている。
【００２５】
図１では、磁気共鳴装置は本体１を有する。この本体１の方は磁気システムを有し、この磁気システムによって、励磁領域２に磁界が生成される。
【００２６】
磁気システムは、励磁領域２内において局所的に少なくとも実質的に均質である時間的に静的な基礎磁界を生成するための少なくとも１つの基礎磁石３を有する。この磁気システムはさらに全身アンテナ４を有し、これによって、励磁領域２全体において少なくとも実質的に均質な高周波の磁界が生成される。通常は、磁気システムは付加的に、グラジエント磁界を生成するためのグラジエント磁石と、シールド磁石とを有する。
【００２７】
磁気共鳴装置は図１ではさらに患者寝台５も有する。この患者寝台５は、移動方向ｚで移動領域を、本体１に対して相対的に移動可能である。移動領域は、移動方向ｚで見て患者寝台５の各位置が励磁領域２において位置決めされるように決定される。励磁領域２は通常、移動方向ｚに、約４０〜６０ｃｍである励磁領域長さｌにわたって延在し、患者寝台は２ｍのオーダの長さＬを有するので、患者寝台５の移動領域長さは励磁領域長さｌの複数倍となる。
【００２８】
患者寝台５が移動可能であることにより、被検体６（通常は人間６）が患者寝台５上に配置されている場合、被検体６は患者寝台５の適切な移動によって励磁領域２に挿入される。被検体６が励磁領域２に挿入されると、磁気システム（とりわけ全身アンテナ４）の適切な駆動制御と、それに相応する適切な磁界の生成とによって励磁され、磁気共鳴信号が送信される。
【００２９】
送信された磁気共鳴信号を全身アンテナ４によって検出し、評価装置７に供給し、この評価装置によって磁気共鳴信号を評価することができる。しかしこれでは、被検体６の低品質の再構築しか行うことができない。したがって通常は、被検体６に局所コイル８が配置され、これによって、局所コイル８あたり小さい体積でも、格段に高品質の磁気共鳴信号が検出される。従来技術とは異なり、局所コイル８はケーブルを介して評価装置７に接続されてはいない。それゆえ、局所コイル８と評価装置７との間の線は図１では破線でのみ示されている。局所コイル８と評価回路７との接続の仕方が、本発明の対象である。
【００３０】
すでに図１に示されており、図２および３においてさらに明確に示されているように、被検体６には通常、多数の局所コイル８が配置されている。ここでは、移動方向ｚで見て実質的に等しい高さに配置されている局所コイル８が、それぞれいわゆる段を形成する。これらの段は、個々のケースの位置に応じて、被検体６の全身にオーバーラップする。
【００３１】
各局所コイル８は有利には、少なくとも２つの患者寝台結合エレメント９に接続されている。それに対して、各患者寝台結合エレメント９は１つの局所コイル８にのみ接続されている。各患者寝台結合エレメント９は患者寝台５の所定の位置に配置されている。これらの位置は、必要な場合に限り、以下では患者寝台位置と称される。というのもこれらは、患者寝台５に対して位置固定的であるからだ。
【００３２】
患者寝台結合エレメント９は複数の列１０に配置されている。ここでとりわけ図３を参照されたい。各列１０は移動方向ｚに、最大で患者寝台５の長さＬと等しい長さにわたって延在する。したがって、患者寝台結合エレメント９の各列１０は移動方向ｚで見て、最大約２ｍにわたって延在することができる。各列１０では患者寝台結合エレメント９は、図４によればラスタａで連続する。ラスタａは典型的には８〜１５ｃｍであり、とりわけ１０〜１２ｃｍである。ラスタａは通常、患者寝台結合エレメント９相互間の間隔ｂの整数倍であり、たとえば２倍または３倍である。
【００３３】
局所コイル８と評価装置７とを接続するために、本体１にはさらに本体結合エレメント１１が配置されており、この本体結合エレメント１１は評価装置７に接続されている。本体結合エレメント１１は本体１の所定の位置に配置されている。これらの位置は、必要な場合に限り以下で本体位置と称される。というのも、これらは本体１に対して位置固定的であるからだ。
【００３４】
とりわけ図３および４に示されているように、本体結合エレメント１１も列１２に配置されている。本体結合エレメント１１の各列１２は図４によれば、同様に移動方向ｚに延在しているが、患者寝台５より短い長さにわたってのみ、すなわち基本的にに励磁領域長さｌにわたって延在している。本体結合エレメント１１の各列１２は、患者寝台結合エレメント９の列１０と共働する。
【００３５】
図４には、本体結合エレメント１１が励磁領域２内に配置されていることも示されている。したがって、励磁領域２内では移動方向ｚで見て複数の本体結合エレメント１１が連続して配置されている状況により、図４では、本体結合エレメント１１のラスタａ′は移動方向ｚで見て、励磁領域長さｌより格段に小さいことも理解できる。本体結合エレメント１１のラスタａ′は通常は、患者寝台結合エレメント９相互間のラスタａと同じである。ラスタａ′は有利には本体結合エレメント１１相互間の間隔ｂ′の整数倍であり、たとえば２倍または３倍である。本体結合エレメント１１相互間の間隔ｂ′は、患者寝台結合エレメント９相互間の間隔ｂと等しくすることができる。
【００３６】
患者寝台結合エレメント９の列１０の配置と本体結合エレメント１１の列１２の配置は、相互に次のように整合される。すなわち、患者寝台結合エレメント９の各列１０に所属する局所コイル８が、各列１０の患者寝台結合エレメント９と相応の列１２の本体結合エレメント１１とを介して、該局所コイル８によって受信された磁気共鳴信号を評価装置７に供給できるように整合される。このことはもちろん、患者寝台結合エレメント９の列１０の各患者寝台結合エレメント９が本体結合エレメント１１の相応の列１２の本体結合エレメント１１のうち１つの影響領域内に配置された場合のみに当てはまる。このことを以下で、図５と関連して詳細に説明する。
【００３７】
本体結合エレメント１１および患者寝台結合エレメント９は、患者寝台５が移動領域の所定の区画を移動されたときにその間に限って、局所コイル８によって受信された磁気共鳴信号が該患者寝台結合エレメント９と本体結合エレメント１１とを介して評価装置７へ供給されるように配置および構成されている。移動領域の所定の区画は、ここでは各局所コイル８に固有である。各局所コイル８の患者寝台結合エレメント９と本体結合エレメント１１とが総体的に相互に結合される結合度Ｋ１，Ｋ２，．．．は、ここでは移動領域の各区画内では一定である。このことをどのように実現するかを以下で、図５〜９と関連して詳細に説明する。
【００３８】
図５〜７に４つの患者寝台結合エレメント９が示されている。患者寝台結合エレメント９には、用語的に相互に区別できるようにするために図５〜７では、ａ〜ｄの文字によって補足された参照番号９が付与されている。患者寝台結合エレメント９ａおよび９ｂはここでは局所コイル８のうち第１の局所コイルに接続されており、患者寝台結合エレメント９ｃおよび９ｄは局所コイル８のうち第２の局所コイルに接続されている。さらに同図では、２つの列１２の本体結合エレメント１１が示されている。本体結合エレメント１１には、用語的に相互に区別できるようにするために図５〜７では、ａ〜ｈの文字によって補足された参照番号１１が付与されている。
【００３９】
患者寝台５が移動経路上を移動されると、患者寝台５はいずれ、図５に示された位置に患者寝台結合エレメント９ａ〜９ｄが位置する位置に到達する。ちょうどこの位置（ないしは、この位置に相応する時点）では、患者寝台結合エレメント９ａ〜９ｄのうちで、本体結合エレメント１１ａ〜１１ｈのうちいずれかと結合されている患者寝台結合エレメントは未だない。しかし、図５に示されている状態から患者寝台５がさらに移動されると、患者寝台結合エレメント９ａと本体結合エレメント１１ａとが結合される個別の結合度ｋａａ（ｋは結合度を表し、最初のａは患者寝台結合エレメント９ａを表し、２番目のａは本体結合エレメント１１ａを表す）は、０から最大値ｋ１まで上昇し、その後には０まで下降して戻る。個別結合度ｋａａの上昇および下降は、ここでは図８ａによれば、少なくとも近似的に２等辺３角形を定義する。
【００４０】
個別結合度ｋａａが０まで下降すると、患者寝台結合エレメント９ａ〜９ｄは、図６に示された位置に存在する。ちょうどこの位置では、患者寝台結合エレメント９ａは本体結合エレメント１１ａに結合しなくなり、未だ本体結合エレメント１１ｂには結合されていない。患者寝台５がさらに移動されると、次に個別結合度ｋａｂが０から最大値ｋ１まで上昇し、その後には０に下降して戻る。
【００４１】
本体結合エレメント１１ａ〜１１ｈは同様に構成されているので、個別結合度ｋａｂによって定義された３角形も、移動方向ｚにずれるまで、個別結合度ｋａａによって定義された３角形に相応する。
【００４２】
患者寝台５がさらに移動されると、患者寝台結合エレメント９ａと本体結合エレメント１１ｃおよび１１ｄとが結合される個別結合度ｋａｃおよびｋａｄも同様に０から最大値ｋ１まで上昇し、０まで下降して戻る。このことは、図７に示された本体結合エレメント１１ａ〜１１ｈに対する患者寝台エレメント９ａ〜９ｄの相対的配置に相応する位置に患者寝台５が到達するまで当てはまる。
【００４３】
図５〜７に示されているように、患者寝台結合エレメント９ａおよび９ｂと本体結合エレメント１１ａ〜１１ｈとは次のように配置されている。すなわち、患者寝台結合エレメント９ａが２つの本体結合エレメント１１ａ〜１１ｄ間に存在する場合（すなわち、その時点で本体結合エレメント１１ａ〜１１ｄのいずれとも結合されていない場合）には常に患者寝台結合エレメント９ｂは本体結合エレメント１１ｅ〜１１ｈのうちいずれかとちょうど対向するように、すなわち該患者寝台結合エレメント９ｂとその時点で対向する本体結合エレメント１１ｅ〜１１ｈとの結合が最大になるように配置されている。逆の場合にも、このことはちょうど当てはまる。相応の個別結合度ｋｂｅ〜ｋｂｈも、図８ａに同様に示されている。ここでは、個別結合度ｋａａが最大値ｋ１に達する時点から、個別結合度ｋｂｈが最大値ｋ１に達する時点まで、第１の局所コイル８の患者寝台結合エレメント９ａおよび９ｂが本体結合エレメント１１ａ〜１１ｈと総体的に結合される全体結合度Ｋ１（すなわち個別結合度ｋａａ〜ｋａｄおよびｋｂｅ〜ｋｂｈの合計）は一定であることが理解できる。
【００４４】
１列１２あたりの本体結合エレメント１１の数は通常は比較的多数であり、たとえば５，８，１０またはそれ以上である。このことにより、全体結合度Ｋ１が上昇ないしは下降する縁部領域は無視することができる。
【００４５】
患者寝台結合エレメント９ｃおよび９ｄが患者寝台結合エレメント９ａおよび９ｂからずれている程度であるラスタ尺度ａは通常、本体結合エレメント１１ａ〜１１ｄないしは１１ｅ〜１１ｈが相互にずれている程度であるラスタ尺度ａ′に相応する。したがって、第１の区画で相互に補足しあって一定の全体結合度Ｋ１を形成する入力結合度ｋａａ〜ｋａｄおよびｋｂｅ〜ｋｂｈと同様に、図９によれば、患者寝台結合エレメント９ｃおよび９ｄが連続して本体結合エレメント１１ａ〜１１ｈに結合する個別結合度ｋｃａ〜ｋｃｄおよびｋｄｅ〜ｋｄｈは、移動領域の第２の区画において一定の全体結合度Ｋ２を形成する。
【００４６】
第１の区画および第２の区画の長さｌは等しい。これは実質的に、１列１２あたりの本体結合エレメント１１の数と、該本体結合エレメント１１のラスタ尺度ａ′とによって決定される。とりわけ、第１の区画および第２の区画の長さｌは以下の数式で得られる。
【００４７】
ｌ＝（２ｎ−１）・ａ′／２
第２の区画は第１の区画に対してずれを有する。このずれは、患者寝台結合エレメント９のラスタ尺度ａに相応する。それゆえ、第１の区画と第２の区画とはオーバーラップ領域で相互にオーバーラップし、その長さはｌ′は以下の数式で得られる。
【００４８】
ｌ＝ｎ−ａ
したがって、オーバーラップ領域の長さｌ′と第１の区画の長さｌとの比Ｖには以下の数式が当てはまる。
【００４９】
Ｖ＝ｎ−／ｎ−・ａ／ａ
１列１２あたりの本体結合エレメント１１の数ｎは通常は２を上回り（たとえば５または１０、または図５〜７に示されているように少なくとも４）、ラスタａ，ａ′は等しいので、比Ｖは通常、１／２を上回る。たとえばｎ＝３の場合には、Ｖは３／５＝０．６となり、ｎ＝４の場合には５／７≒０．７となり、ｎ＝５の場合には７／９≒０．８となる。
【００５０】
図８ａおよび８ｂに示された個別結合度ｋａａ〜ｋｄｈから、患者寝台５が所定の時点で移動領域をどの程度の移動距離だけ移動したかに依存せずに、この時点では本体結合エレメント１１ａ〜１１ｈはそれぞれ患者寝台結合エレメント９ａ〜９ｄのいずれにも結合されていないか、または患者寝台結合エレメント９ａ〜９ｄのうちいずれか１つのみに結合されているのが理解できる。それに対して、本体結合エレメント１１ａ〜１１ｈのうち１つが患者寝台結合エレメント９ａ〜９ｄのうち２つ以上に同時に結合されることは、どの時点でもない。したがって、評価装置７は本体結合エレメント１１を患者寝台５の移動距離に依存して動的に伝送チャネルにグループ化し、伝送チャネルをそれぞれ局所コイル８のうち１つに専有的に割り当てることを容易に実現することができる。このことを以下で、図９に関連して簡単に説明する。
【００５１】
図９によれば、ステップＳ１で患者寝台５の変位が開始される。
【００５２】
ステップＳ２において評価装置７は局所コイル８のうち第１の局所コイルを選択する。
【００５３】
ステップＳ３において評価装置７は、選択されたこの局所コイル８に関して、どの本体結合エレメント１１がその時点の移動位置において、選択された該局所コイル８の患者寝台結合エレメント９と結合されているかを求める。この本体結合エレメント１１を評価装置７はステップＳ４において、１つの伝送チャネルにまとめる。
【００５４】
ステップＳ５において評価装置７は、対象となるすべての局所コイル８に関して伝送チャネルをすでに形成したか否かを検査する。そうでない場合には、評価装置７はステップＳ６へ移行し、局所コイル８のうちで別の局所コイルを選択する。ステップＳ６から評価装置７はステップＳ３へ戻る。
【００５５】
それに対して、対象となるすべての局所コイル８に関して伝送チャネルが定義完了された場合、評価装置７はステップＳ７において、形成されたこの伝送チャネルを介して、該局所コイル８の磁気共振信号を検出する。
【００５６】
ステップＳ８で評価装置７は、磁気共振信号の検出を終了すべきか否かを検査する。そうでない場合には、評価装置７はステップＳ２へ戻る。そうである場合には、評価装置７はステップＳ９へ移行し、患者寝台５の移動を終了する。
【００５７】
個々の結合エレメント９，１１は、誘導結合エレメント９，１１として構成することができる。ここで、概略的な図１０を参照されたい。択一的に、結合エレメント９，１１を容量結合エレメント９，１１として構成することもできる。概略的な図１１を参照されたい。混合的な実施形態も可能である。しかし、患者寝台結合エレメント９の列１０ごとに、ないしは本体結合エレメント１１の列１２ごとに統一的な構成を行わなければならない。誘導結合エレメント９，１１および容量結合エレメント９，１１の可能な実施形態は、数回言及されたドイツ連邦共和国特許出願１０２００５０５６７１１．８に詳細に記載されている。
【００５８】
上記では、局所コイル８あたり２つの患者寝台結合エレメント９が設けられており該患者寝台結合エレメント９は２つの本体結合エレメント１１に結合されるケースを説明した。しかし局所コイル８あたりの患者寝台結合エレメント９の数は、択一的に２より多くすることができる。このことは、各局所コイル８が３つの患者寝台結合エレメント９に接続されている場合に当てはまる。このことは図１２に概略的に示されている。この構成は図１３によれば、所定の本体結合エレメント１１を基準として、たとえば本体結合エレメント１１ａを基準として、同一の本体結合エレメント１１の個別結合度ｋａａの０への下降と別の個別結合度ｋｃａの上昇との間にポーズが存在するという利点を有する。図１３に一例として個別結合度ｋａａおよびｋｃａに関して示されたこの内容は、別の個別結合度にも同様に当てはまる。それに対して、図８ａおよび８ｂを参照すると、局所コイル８あたりの患者寝台結合エレメント９の数が２つのみであり２つの本体結合エレメント１１のみと結合する場合、通常はこのようなポーズは存在しない。
【００５９】
複数の本体結合エレメント１１との同時の結合は、一定の結合度Ｋ１，Ｋ２を実現するためには絶対に必要である。しかし、局所コイル８あたり１つの患者寝台結合エレメント９のみが設けられている場合にも、このような結合を実現することができる。このことは図１４において、患者寝台結合エレメント９が１つだけであり本体結合エレメント１１が複数である場合に関して示されている。
【００６０】
上記の説明はもっぱら本発明の説明に使用されただけである。しかし、本発明の保護範囲はもっぱら、添付された特許請求の範囲によってのみ決定すべきである。
【図面の簡単な説明】
【００６１】
【図１】磁気共鳴装置の概略図である。
【図２】図１の磁気共鳴装置の断面図である。
【図３】患者寝台および本体結合エレメントの斜視図である。
【図４】図１の磁気共鳴装置の別の断面図である。
【図５】本体結合エレメントに対する患者結合エレメントの可能な相対的配置を示す概略図である。
【図６】本体結合エレメントに対する患者結合エレメントの可能な相対的配置を示す概略図である。
【図７】本体結合エレメントに対する患者結合エレメントの可能な相対的配置を示す概略図である。
【図８】患者寝台結合エレメントと本体結合エレメントとの結合度を示す。
【図９】フローチャートである。
【図１０】局所コイルから評価回路への可能な信号フローの概略図である。
【図１１】局所コイルから評価回路への可能な信号フローの概略図である。
【図１２】本体結合エレメントに対する患者寝台結合エレメントの別の可能な相対的配置を示す概略図である。
【図１３】患者寝台結合エレメントと本体結合エレメントとの結合度を示す。
【図１４】本体結合エレメントに対する患者寝台結合エレメントの別の可能な相対的配置を示す概略図である。
【符号の説明】
【００６２】
１    本体
２    励磁領域
３    基礎磁石
４    全身アンテナ
５    患者寝台
６    被検体
７    評価装置
８    局所コイル
９    患者寝台
１０  患者寝台結合エレメント９の列
１１  本体結合エレメント
１２  本体結合エレメントの列
【図１】
2008149140.tif 000003
【図２】
2008149140.tif 000004
【図３】
2008149140.tif 000005
【図４】
2008149140.tif 000006
【図５】
2008149140.tif 000007
【図６】
2008149140.tif 000008
【図７】
2008149140.tif 000009
【図８】
2008149140.tif 000010
【図９】
2008149140.tif 000011
【図１０】
2008149140.tif 000012
【図１１】
2008149140.tif 000013
【図１２】
2008149140.tif 000014
【図１３】
2008149140.tif 000015
【図１４】
2008149140.tif 000016